【手続補正書】
【提出日】平成24年12月28日(2012.12.28)
【手続補正１】
【補正対象書類名】明細書
【補正対象項目名】００１１
【補正方法】変更
【補正の内容】
【００１１】
詳細な説明から明らかとなる本発明の上述の及びその他の態様は、手指衛生の実施を改善するためのシステムによって実現される。このシステムは、施設内に様々な場所、位置及び向きで置かれる複数の手指衛生材料のディスペンサーであって、各ディスペンサーが手指衛生イベントに対応するデータを受信及び格納する特有に関連付けられたメモリを有し、各ディスペンサーがこれと関連付けられたデータチップを有し、前記データチップが関連付けられたディスペンサーの物理的特性や前記施設内の場所、位置及び向きに関するデータを格納し、前記ディスペンサーのそれぞれが永久ディスペンサー及び半永久ディスペンサーの群から選択され、前記メモリと動作可能に通信するアクチュエータを有する、ディスペンサーと、前記メモリを読み取り、前記複数のディスペンサーのそれぞれから前記データチップに格納された前記データを取り出すために、前記ディスペンサーのそれぞれと選択的に通信する少なくとも１つのトランスポンダと、前記トランスポンダにより前記データチップのそれぞれから取り出された前記データを受信し、手指衛生イベントと前記データチップに格納された前記データとの関係性を定量化するために、前記トランスポンダと選択的に通信するデータプロセッサであって、前記データプロセッサが、前記手指衛生イベントと前記データチップに格納された前記データとの関係性の前記定量化に基づいて、前記施設内の前記ディスペンサーの場所、位置、向き及び物理的特性から前記ディスペンサーの最適パラメータを識別する、データプロセッサと、を備える。
【手続補正２】
【補正対象書類名】明細書
【補正対象項目名】００１２
【補正方法】変更
【補正の内容】
【００１２】
本明細書で明らかになる本発明のその他の態様は、感染管理に関連する行為を実施する場所で手指衛生の実施を改善するための方法によって実現される。この方法は、手指衛生材料のディスペンサーを、施設内の前記ディスペンサーの場所に関連する場所データによって識別し、前記場所データが、移動経路、扉及び壁に対する前記ディスペンサーの位置的関係を含み、前記移動経路が前記施設内での感染管理行為に関連する経路である、ステップと、前記ディスペンサーから使用データを取得するステップと、前記使用データを前記施設内の場所と相関させるステップと、使用と場所との関係性を定量化するステップと、前記ディスペンサーの使用を最適化するために、前記施設内の前記ディスペンサーを前記定量化に従って設置及び再設置するステップと、を含む。
【手続補正３】
【補正対象書類名】明細書
【補正対象項目名】００１３
【補正方法】変更
【補正の内容】
【００１３】
本明細書で明らかになる本発明のさらなる態様は、手指衛生の実施を改善するための方法によって実現される。この方法は、複数の手指衛生材料のディスペンサーの性質及び場所並びに前記ディスペンサーを保持する施設における人員配置及び占有率に関するデータからなる第１のデータのセットを確立するステップと、かかる材料の分与に関して、前記複数の手指衛生材料のディスペンサーから第２のデータのセットを得るステップと、前記第１のデータのセットと前記第２のデータのセットを相関させて、それにより前記ディスペンサーの性質及び場所と、前記ディスペンサーの使用に関する傾向との関係性を確立するステップと、前記ディスペンサーを配置又は再配置する後続の動作において、前記関係性を使用するステップと、を含む。
【手続補正４】
【補正対象書類名】特許請求の範囲
【補正対象項目名】全文
【補正方法】変更
【補正の内容】
【特許請求の範囲】
【請求項１】
施設内に様々な場所、位置及び向きで置かれる複数の手指衛生材料のディスペンサーであって、各ディスペンサーが手指衛生イベントに対応するデータを受信及び格納する特有に関連付けられたメモリを有し、各ディスペンサーがこれと関連付けられたデータチップを有し、前記データチップが関連付けられたディスペンサーの物理的特性や前記施設内の場所、位置及び向きに関するデータを格納し、前記ディスペンサーのそれぞれが永久ディスペンサー及び半永久ディスペンサーの群から選択され、前記メモリと動作可能に通信するアクチュエータを有する、ディスペンサーと、
前記メモリを読み取り、前記複数のディスペンサーのそれぞれから前記データチップに格納された前記データを取り出すために、前記ディスペンサーのそれぞれと選択的に通信する少なくとも１つのトランスポンダと、
前記トランスポンダにより前記データチップのそれぞれから取り出された前記データを受信し、手指衛生イベントと前記データチップに格納された前記データとの関係性を定量化するために、前記トランスポンダと選択的に通信するデータプロセッサであって、前記データプロセッサが、前記手指衛生イベントと前記データチップに格納された前記データとの関係性の前記定量化に基づいて、前記施設内の前記ディスペンサーの場所、位置、向き及び物理的特性から前記ディスペンサーの最適パラメータを識別する、データプロセッサと、
を備える手指衛生の実施を改善するためのシステム。
【請求項２】
前記トランスポンダが、持ち運び可能なハンドヘルドユニットである、請求項１に記載の手指衛生の実施を改善するためのシステム。
【請求項３】
前記トランスポンダが、赤外線信号で前記ディスペンサーと通信する、請求項２に記載の手指衛生の実施を改善するためのシステム。
【請求項４】
前記トランスポンダが、非接触電磁信号で前記ディスペンサーと通信する、請求項２に記載の手指衛生の実施を改善するためのシステム。
【請求項５】
前記トランスポンダが、無線周波数信号で前記ディスペンサーと通信する、請求項２に記載の手指衛生の実施を改善するためのシステム。
【請求項６】
前記トランスポンダが、超音波信号で前記ディスペンサーと通信する、請求項２に記載の手指衛生の実施を改善するためのシステム。
【請求項７】
前記ディスペンサーのそれぞれが、前記施設内の場所、位置及び向きのうち少なくともいくつか、並びに前記物理的特性について、特有に識別される、請求項１に記載の手指衛生の実施を改善するためのシステム。
【請求項８】
前記施設が、医療施設、ホテル、レストラン及びクルーズ船からなる群から選択される、請求項１に記載の手指衛生の実施を改善するためのシステム。
【請求項９】
前記ディスペンサーが、壁掛けディスペンサー、卓上ディスペンサー及び個人用ディスペンサーからなる群から選択される、請求項８に記載の手指衛生の実施を改善するためのシステム。
【請求項１０】
感染管理に関連する行為を実施する場所で手指衛生の実施を改善するための方法であって、前記方法が、
手指衛生材料のディスペンサーを、施設内の前記ディスペンサーの場所に関連する場所データによって識別し、前記場所データが、移動経路、扉及び壁に対する前記ディスペンサーの位置的関係を含み、前記移動経路が前記施設内での感染管理行為に関連する経路である、ステップと、
前記ディスペンサーから使用データを取得するステップと、
前記使用データを前記施設内の場所と相関させるステップと、
使用と場所との関係性を定量化するステップと、
前記ディスペンサーの使用を最適化するために、前記施設内の前記ディスペンサーを前記定量化に従って設置及び再設置するステップと、
を含む、手指衛生の実施を改善するための方法。
【請求項１１】
前記ディスペンサーが、ディスペンサーの種類によってさらに識別される、請求項１０に記載の手指衛生の実施を改善するための方法。
【請求項１２】
前記使用データが使用の日時を含む、請求項１０に記載の手指衛生の実施を改善するための方法。
【請求項１３】
前記ディスペンサーと読取り装置との間の信号伝送によって、前記ディスペンサーから前記使用データを取得する、請求項１０に記載の手指衛生の実施を改善するための方法。
【請求項１４】
設置及び再設置する前記ステップが、高い使用率を示す場所と同様の特性を有する前記施設内の場所を識別するステップと、このように識別された場所にディスペンサーを置くステップとを含む、請求項１３に記載の手指衛生の実施を改善するための方法。
【請求項１５】
前記場所データが、前記ディスペンサーの位置的高さを含む、請求項１０に記載の手指衛生の実施を改善するための方法。
【請求項１６】
記場所データが、前記施設内の他の物体に対する前記ディスペンサーの位置的関係を含む、請求項１３に記載の手指衛生の実施を改善するための方法。
【請求項１７】
複数の手指衛生材料のディスペンサーの性質及び場所並びに前記ディスペンサーを保持する施設における人員配置及び占有率に関するデータからなる第１のデータのセットを確立するステップと、
かかる材料の分与に関して、前記複数の手指衛生材料のディスペンサーから第２のデータのセットを得るステップと、
前記第１のデータのセットと前記第２のデータのセットを相関させて、それにより前記ディスペンサーの性質及び場所と、前記ディスペンサーの使用に関する傾向との関係性を確立するステップと、
前記ディスペンサーを配置又は再配置する後続の動作において、前記関係性を使用するステップと、
を含む、手指衛生の実施を改善するための方法。
【請求項１８】
前記第２のデータのセットが、前記ディスペンサーのそれぞれから得られ、前記ディスペンサーのそれぞれと特有に関連付けられる、請求項１７に記載の手指衛生の実施を改善するための方法。
【請求項１９】
相関させる前記ステップが、前記第２のデータのセットを前記第１のデータのセットに重ね合わせるステップであって、データの類似性に関するパターンが１つもないステップを含む、請求項１８に記載の手指衛生の実施を改善するための方法。
【請求項２０】
前記データの類似性に関するパターンを使用して、前記ディスペンサーの配置及び再配置のための規範を確立する、請求項１９に記載の手指衛生の実施を改善するための方法。